(57)【要約】【課題】装置の装着の有無を適切に判定する。【解決手段】情報処理装置は、無線通信部および制御部を具備する情報処理装置である。ここで、情報処理装置が具備する無線通信部は、近距離無線通信を利用して撮像装置との間で通信を行うものである。また、情報処理装置が具備する制御部は、その無線通信部により行われる通信の結果（近距離無線通信を利用した撮像装置との通信結果）に基づいて、その撮像装置の装着の有無を判定するものである。【選択図】図３
2015088824.tif 000002
【特許請求の範囲】
【請求項１】
近距離無線通信を利用して撮像装置との間で通信を行う無線通信部と、
前記近距離無線通信を利用した前記撮像装置との通信結果に基づいて前記撮像装置の装着の有無を判定する制御部と
を具備する情報処理装置。
【請求項２】
前記制御部は、ポーリングのためのコマンドを送信させ、前記コマンドに対する応答を受信した場合には前記撮像装置が装着されていると判定し、前記コマンドに対する応答を受信しない場合には前記撮像装置が装着されていないと判定する請求項１記載の情報処理装置。
【請求項３】
前記制御部は、前記コマンドに対する応答を受信した場合には、前記撮像装置に関する情報を読み出すための確認コマンドを送信させ、前記確認コマンドに対する応答に前記撮像装置を特定するための特定情報が含まれる場合にのみ前記撮像装置が装着されていると判定する請求項２記載の情報処理装置。
【請求項４】
前記無線通信部は、前記近距離無線通信としてＮＦＣ（Near Field Communication）を利用して前記撮像装置との間で通信を行い、
前記制御部は、送信したＰｏｌｌｉｎｇ  Ｃｏｍｍａｎｄに対する応答としてＰｏｌｌｉｎｇ  Ｒｅｓｐｏｎｃｅを受信した場合には前記撮像装置が装着されていると判定し、前記Ｐｏｌｌｉｎｇ  Ｃｏｍｍａｎｄに対する応答を受信しない場合には前記撮像装置が装着されていないと判定する
請求項１記載の情報処理装置。
【請求項５】
前記制御部は、前記Ｐｏｌｌｉｎｇ  Ｒｅｓｐｏｎｃｅを受信した場合にはＣｈｅｃｋ  Ｃｏｍｍａｎｄを送信させ、前記Ｃｈｅｃｋ  Ｃｏｍｍａｎｄに対する応答として受信するＣｈｅｃｋ  Ｒｅｓｐｏｎｃｅに前記撮像装置を特定するための特定情報が含まれる場合にのみ前記撮像装置が装着されていると判定する請求項４記載の情報処理装置。
【請求項６】
近距離無線通信を利用して情報処理装置との間で通信を行う無線通信部と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御部と
を具備する撮像装置。
【請求項７】
前記制御部は、ポーリングのためのコマンドを前記情報処理装置から受信した場合には前記コマンドに対する応答を送信させ、
前記情報処理装置は、前記コマンドに対する応答を受信した場合には前記撮像装置が装着されていると判定し、前記コマンドに対する応答がない場合には前記撮像装置が装着されていないと判定する
請求項６記載の撮像装置。
【請求項８】
前記制御部は、前記撮像装置に関する情報を読み出すための確認コマンドに対する応答に前記撮像装置を特定するための特定情報を含めて当該応答を送信させ、
前記情報処理装置は、前記コマンドに対する応答を受信した場合には、前記確認コマンドを送信させ、前記確認コマンドに対する応答に前記特定情報が含まれる場合にのみ前記撮像装置が装着されていると判定する
請求項７記載の撮像装置。
【請求項９】
前記制御部は、前記近距離無線通信としてＮＦＣを利用して前記情報処理装置が送信したＰｏｌｌｉｎｇ  Ｃｏｍｍａｎｄに対する応答としてＰｏｌｌｉｎｇ  Ｒｅｓｐｏｎｃｅを送信させ、
前記情報処理装置は、前記Ｐｏｌｌｉｎｇ  Ｃｏｍｍａｎｄに対する応答として前記Ｐｏｌｌｉｎｇ  Ｒｅｓｐｏｎｃｅを受信した場合には前記撮像装置が装着されていると判定し、前記Ｐｏｌｌｉｎｇ  Ｃｏｍｍａｎｄに対する応答がない場合には前記撮像装置が装着されていないと判定する
請求項６記載の撮像装置。
【請求項１０】
前記制御部は、前記情報処理装置が送信したＣｈｅｃｋ  Ｃｏｍｍａｎｄに対する応答であるＣｈｅｃｋ  Ｒｅｓｐｏｎｃｅに前記撮像装置を特定するための特定情報を含めて前記Ｃｈｅｃｋ  Ｒｅｓｐｏｎｃｅを送信させ、
前記情報処理装置は、前記Ｐｏｌｌｉｎｇ  Ｒｅｓｐｏｎｃｅを受信した場合には前記Ｃｈｅｃｋ  Ｃｏｍｍａｎｄを送信させ、前記Ｃｈｅｃｋ  Ｃｏｍｍａｎｄに対する応答として受信するＣｈｅｃｋ  Ｒｅｓｐｏｎｃｅに前記特定情報が含まれる場合にのみ前記撮像装置が装着されていると判定する
請求項９記載の撮像装置。
【請求項１１】
近距離無線通信を利用して他の情報処理装置との間で通信を行う無線通信部と、
前記近距離無線通信を利用した前記他の情報処理装置との通信結果に基づいて前記他の情報処理装置の装着の有無を判定する制御部と
を具備する情報処理装置。
【請求項１２】
近距離無線通信を利用して情報処理装置との間で通信を行う撮像装置と、
前記近距離無線通信を利用した前記撮像装置との通信結果に基づいて前記撮像装置の装着の有無を判定する情報処理装置と
を具備する撮像システム。
【請求項１３】
近距離無線通信を利用して撮像装置との間で通信を行う無線通信手順と、
前記近距離無線通信を利用した前記撮像装置との通信結果に基づいて前記撮像装置の装着の有無を判定する判定手順と
を具備する情報処理装置の制御方法。
【請求項１４】
近距離無線通信を利用して情報処理装置との間で通信を行う無線通信手順と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御手順と
を具備する撮像装置の制御方法。
【請求項１５】
近距離無線通信を利用して撮像装置との間で通信を行う無線通信手順と、
前記近距離無線通信を利用した前記撮像装置との通信結果に基づいて前記撮像装置の装着の有無を判定する判定手順と
をコンピュータに実行させるプログラム。
【請求項１６】
近距離無線通信を利用して情報処理装置との間で通信を行う無線通信手順と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御手順と
をコンピュータに実行させるプログラム。
【発明の詳細な説明】
【技術分野】
【０００１】
本技術は、情報処理装置および撮像装置に関する。詳しくは、無線通信を利用して他の装置との間で通信を行う情報処理装置、撮像装置、撮像システムおよびこれらの制御方法ならびに当該方法をコンピュータに実行させるプログラムに関する。
【背景技術】
【０００２】
従来、被写体を撮像して画像（画像データ）を生成し、この画像をコンテンツとして記録するデジタルスチルカメラやデジタルビデオカメラ（例えば、カメラ一体型レコーダ）等の撮像装置が普及している。また、無線通信を利用して各種データのやり取りを行う無線通信技術が存在する。
【０００３】
また、無線通信を利用して他の装置により撮像装置を操作する技術が存在する。例えば、表示部に表示されている操作スイッチ画像に対する接触操作が検出されると、その接触操作が行われた操作スイッチ画像に対応する動作を撮像装置に実行させる電子機器が提案されている（例えば、特許文献１参照。）。
【先行技術文献】
【特許文献】
【０００４】
【特許文献１】特開２００９−９４５９１号公報
【発明の概要】
【発明が解決しようとする課題】
【０００５】
上述の従来技術では、無線通信を利用して電子機器により撮像装置を操作することができるため、例えば、撮像装置および電子機器間が離れている場合でも、電子機器を用いて撮像装置を操作することができる。
【０００６】
ここで、例えば、無線通信を利用して撮像装置を操作することが可能な情報処理装置にその撮像装置を装着して撮像動作を行うことを想定する。この場合には、撮像装置を離れている場所に設置して撮像動作を行う場合と比較して撮像装置および情報処理装置の使用態様が異なることが想定される。このため、撮像装置および情報処理装置を用いて撮像動作を行う場合には、撮像装置および情報処理装置の装着の有無を適切に判定してその装着の有無に応じて適切なユーザインターフェースを提供することが重要である。また、例えば、無線通信を利用して他の装置を操作することが可能な情報処理装置についても同様に、その装着の有無を適切に判定することが重要である。
【０００７】
本技術はこのような状況に鑑みて生み出されたものであり、装置の装着の有無を適切に判定することを目的とする。
【課題を解決するための手段】
【０００８】
本技術は、上述の問題点を解消するためになされたものであり、その第１の側面は、近距離無線通信を利用して撮像装置との間で通信を行う無線通信部と、上記近距離無線通信を利用した上記撮像装置との通信結果に基づいて上記撮像装置の装着の有無を判定する制御部とを具備する情報処理装置およびその制御方法ならびに当該方法をコンピュータに実行させるプログラムである。これにより、近距離無線通信を利用した撮像装置との通信結果に基づいて撮像装置の装着の有無を判定するという作用をもたらす。
【０００９】
また、この第１の側面において、上記制御部は、ポーリングのためのコマンドを送信させ、上記コマンドに対する応答を受信した場合には上記撮像装置が装着されていると判定し、上記コマンドに対する応答を受信しない場合には上記撮像装置が装着されていないと判定するようにしてもよい。これにより、ポーリングのためのコマンドを送信させ、そのコマンドに対する応答を受信した場合には、撮像装置が装着されていると判定し、そのコマンドに対する応答を受信しない場合には、撮像装置が装着されていないと判定するという作用をもたらす。
【００１０】
また、この第１の側面において、上記制御部は、上記コマンドに対する応答を受信した場合には、上記撮像装置に関する情報を読み出すための確認コマンドを送信させ、上記確認コマンドに対する応答に上記撮像装置を特定するための特定情報が含まれる場合にのみ上記撮像装置が装着されていると判定するようにしてもよい。これにより、ポーリングのためのコマンドに対する応答を受信した場合には、確認コマンドを送信させ、その確認コマンドに対する応答に特定情報が含まれる場合にのみ撮像装置が装着されていると判定するという作用をもたらす。
【００１１】
また、この第１の側面において、上記無線通信部は、上記近距離無線通信としてＮＦＣ（Near Field Communication）を利用して上記撮像装置との間で通信を行い、上記制御部は、送信したＰｏｌｌｉｎｇ  Ｃｏｍｍａｎｄに対する応答としてＰｏｌｌｉｎｇ  Ｒｅｓｐｏｎｃｅを受信した場合には上記撮像装置が装着されていると判定し、上記Ｐｏｌｌｉｎｇ  Ｃｏｍｍａｎｄに対する応答を受信しない場合には上記撮像装置が装着されていないと判定するようにしてもよい。これにより、送信したＰｏｌｌｉｎｇ  Ｃｏｍｍａｎｄに対する応答としてＰｏｌｌｉｎｇ  Ｒｅｓｐｏｎｃｅを受信した場合には、撮像装置が装着されていると判定し、Ｐｏｌｌｉｎｇ  Ｃｏｍｍａｎｄに対する応答を受信しない場合には、撮像装置が装着されていないと判定するという作用をもたらす。
【００１２】
また、この第１の側面において、上記制御部は、上記Ｐｏｌｌｉｎｇ  Ｒｅｓｐｏｎｃｅを受信した場合にはＣｈｅｃｋ  Ｃｏｍｍａｎｄを送信させ、上記Ｃｈｅｃｋ  Ｃｏｍｍａｎｄに対する応答として受信するＣｈｅｃｋ  Ｒｅｓｐｏｎｃｅに上記撮像装置を特定するための特定情報が含まれる場合にのみ上記撮像装置が装着されていると判定するようにしてもよい。これにより、Ｐｏｌｌｉｎｇ  Ｒｅｓｐｏｎｃｅを受信した場合には、Ｃｈｅｃｋ  Ｃｏｍｍａｎｄを送信させ、Ｃｈｅｃｋ  Ｃｏｍｍａｎｄに対する応答として受信するＣｈｅｃｋ  Ｒｅｓｐｏｎｃｅに特定情報が含まれる場合にのみ撮像装置が装着されていると判定するという作用をもたらす。
【００１３】
また、本技術の第２の側面は、近距離無線通信を利用して情報処理装置との間で通信を行う無線通信部と、上記近距離無線通信を利用した撮像装置および上記情報処理装置間の通信結果に基づいて上記撮像装置の上記情報処理装置への装着の有無を判定する上記情報処理装置において行われる操作入力に基づいて撮像動作に関する制御を行う制御部とを具備する撮像装置およびその制御方法ならびに当該方法をコンピュータに実行させるプログラムである。これにより、近距離無線通信を利用した撮像装置および情報処理装置間の通信結果に基づいて撮像装置の情報処理装置への装着の有無を判定する情報処理装置において行われる操作入力に基づいて撮像動作に関する制御を行うという作用をもたらす。
【００１４】
また、この第２の側面において、上記制御部は、ポーリングのためのコマンドを上記情報処理装置から受信した場合には上記コマンドに対する応答を送信させ、上記情報処理装置は、上記コマンドに対する応答を受信した場合には上記撮像装置が装着されていると判定し、上記コマンドに対する応答がない場合には上記撮像装置が装着されていないと判定するようにしてもよい。これにより、ポーリングのためのコマンドを情報処理装置から受信した場合にはそのコマンドに対する応答を送信させ、情報処理装置は、そのコマンドに対する応答を受信した場合には、撮像装置が装着されていると判定し、そのコマンドに対する応答がない場合には、撮像装置が装着されていないと判定するという作用をもたらす。
【００１５】
また、この第２の側面において、上記制御部は、上記撮像装置に関する情報を読み出すための確認コマンドに対する応答に上記撮像装置を特定するための特定情報を含めて当該応答を送信させ、上記情報処理装置は、上記コマンドに対する応答を受信した場合には、上記確認コマンドを送信させ、上記確認コマンドに対する応答に上記特定情報が含まれる場合にのみ上記撮像装置が装着されていると判定するようにしてもよい。これにより、確認コマンドに対する応答に特定情報を含めてその応答を送信させ、情報処理装置は、コマンドに対する応答を受信した場合には、その確認コマンドを送信させ、その確認コマンドに対する応答に特定情報が含まれる場合にのみ撮像装置が装着されていると判定するという作用をもたらす。
【００１６】
また、この第２の側面において、上記制御部は、上記近距離無線通信としてＮＦＣを利用して上記情報処理装置が送信したＰｏｌｌｉｎｇ  Ｃｏｍｍａｎｄに対する応答としてＰｏｌｌｉｎｇ  Ｒｅｓｐｏｎｃｅを送信させ、上記情報処理装置は、上記Ｐｏｌｌｉｎｇ  Ｃｏｍｍａｎｄに対する応答として上記Ｐｏｌｌｉｎｇ  Ｒｅｓｐｏｎｃｅを受信した場合には上記撮像装置が装着されていると判定し、上記Ｐｏｌｌｉｎｇ  Ｃｏｍｍａｎｄに対する応答がない場合には上記撮像装置が装着されていないと判定するようにしてもよい。これにより、ＮＦＣを利用して情報処理装置が送信したＰｏｌｌｉｎｇ  Ｃｏｍｍａｎｄに対する応答としてＰｏｌｌｉｎｇ  Ｒｅｓｐｏｎｃｅを送信させ、情報処理装置は、Ｐｏｌｌｉｎｇ  Ｃｏｍｍａｎｄに対する応答としてＰｏｌｌｉｎｇ  Ｒｅｓｐｏｎｃｅを受信した場合には、撮像装置が装着されていると判定し、Ｐｏｌｌｉｎｇ  Ｃｏｍｍａｎｄに対する応答がない場合には、撮像装置が装着されていないと判定するという作用をもたらす。
【００１７】
また、この第２の側面において、上記制御部は、上記情報処理装置が送信したＣｈｅｃｋ  Ｃｏｍｍａｎｄに対する応答であるＣｈｅｃｋ  Ｒｅｓｐｏｎｃｅに上記撮像装置を特定するための特定情報を含めて上記Ｃｈｅｃｋ  Ｒｅｓｐｏｎｃｅを送信させ、上記情報処理装置は、上記Ｐｏｌｌｉｎｇ  Ｒｅｓｐｏｎｃｅを受信した場合には上記Ｃｈｅｃｋ  Ｃｏｍｍａｎｄを送信させ、上記Ｃｈｅｃｋ  Ｃｏｍｍａｎｄに対する応答として受信するＣｈｅｃｋ  Ｒｅｓｐｏｎｃｅに上記特定情報が含まれる場合にのみ上記撮像装置が装着されていると判定するようにしてもよい。これにより、情報処理装置が送信したＣｈｅｃｋ  Ｃｏｍｍａｎｄに対する応答（Ｃｈｅｃｋ  Ｒｅｓｐｏｎｃｅ）に特定情報を含めてそのＣｈｅｃｋ  Ｒｅｓｐｏｎｃｅを送信させ、情報処理装置は、Ｐｏｌｌｉｎｇ  Ｒｅｓｐｏｎｃｅを受信した場合にはＣｈｅｃｋ  Ｃｏｍｍａｎｄを送信させ、Ｃｈｅｃｋ  Ｃｏｍｍａｎｄに対する応答として受信するＣｈｅｃｋ  Ｒｅｓｐｏｎｃｅに特定情報が含まれる場合にのみ撮像装置が装着されていると判定するという作用をもたらす。
【００１８】
また、本技術の第３の側面は、近距離無線通信を利用して他の情報処理装置との間で通信を行う無線通信部と、上記近距離無線通信を利用した上記他の情報処理装置との通信結果に基づいて上記他の情報処理装置の装着の有無を判定する制御部とを具備する情報処理装置およびその制御方法ならびに当該方法をコンピュータに実行させるプログラムである。これにより、近距離無線通信を利用した他の情報処理装置との通信結果に基づいて他の情報処理装置の装着の有無を判定するという作用をもたらす。
【００１９】
また、本技術の第４の側面は、近距離無線通信を利用して情報処理装置との間で通信を行う撮像装置と、上記近距離無線通信を利用した上記撮像装置との通信結果に基づいて上記撮像装置の装着の有無を判定する情報処理装置とを具備する撮像システムおよびその制御方法ならびに当該方法をコンピュータに実行させるプログラムである。これにより、撮像装置は、近距離無線通信を利用して情報処理装置との間で通信を行い、情報処理装置は、近距離無線通信を利用した撮像装置との通信結果に基づいて、撮像装置の装着の有無を判定するという作用をもたらす。
【発明の効果】
【００２０】
本技術によれば、装置の装着の有無を適切に判定することができるという優れた効果を奏し得る。なお、ここに記載された効果は必ずしも限定されるものではなく、本開示中に記載されたいずれかの効果であってもよい。
【図面の簡単な説明】
【００２１】
【図１】本技術の第１の実施の形態における撮像装置１００の外観構成を示す図である。
【図２】本技術の第１の実施の形態における撮像装置１００を情報処理装置２００に取り付けた場合の外観構成を示す図である。
【図３】本技術の第１の実施の形態における撮像装置１００および情報処理装置２００の機能構成例を示すブロック図である。
【図４】本技術の第１の実施の形態における撮像装置１００および情報処理装置２００の使用例を示す図である。
【図５】本技術の第１の実施の形態における撮像装置１００および情報処理装置２００間における通信処理例を示すシーケンスチャートである。
【図６】本技術の第１の実施の形態における情報処理装置２００による装着検出処理の処理手順の一例を示すフローチャートである。
【図７】本技術の第１の実施の形態における入出力部２４０に表示される表示画面の切替例を示す図である。
【図８】本技術の第１の実施の形態における入出力部２４０に表示される表示画面の表示例を示す図である。
【図９】本技術の第１の実施の形態における入出力部２４０に表示される表示画面の表示例を示す図である。
【図１０】本技術の第１の実施の形態における入出力部２４０に表示される表示画面の表示例を示す図である。
【図１１】本技術の第１の実施の形態における情報処理装置２００による表示制御処理の処理手順の一例を示すフローチャートである。
【図１２】本技術の第２の実施の形態における撮像装置１００および情報処理装置２００間における通信処理例を示すシーケンスチャートである。
【図１３】本技術の第２の実施の形態における情報処理装置２００による装着検出処理の処理手順の一例を示すフローチャートである。
【図１４】本技術の第２の実施の形態における撮像装置１００および情報処理装置２００間においてやりとりされるＮＤＥＦの内容例を示す図である。
【発明を実施するための形態】
【００２２】
以下、本技術を実施するための形態（以下、実施の形態と称する）について説明する。説明は以下の順序により行う。
１．第１の実施の形態（Ｐｏｌｌｉｎｇ  Ｒｅｓｐｏｎｃｅの受信の有無に応じて撮像装置の装着を検出する例）
２．第２の実施の形態（Ｐｏｌｌｉｎｇ  Ｒｅｓｐｏｎｃｅを送信した撮像装置を特定するための特定情報に基づいて撮像装置の装着を検出する例）
【００２３】
＜１．第１の実施の形態＞
［撮像装置の外観構成例］
図１は、本技術の第１の実施の形態における撮像装置１００の外観構成を示す図である。図１のａには、撮像装置１００の正面図を示し、図１のｂには、撮像装置１００の側面図（矢印Ａから見た場合における側面図）を示す。
【００２４】
また、本技術の実施の形態では、撮像装置１００を、円筒形（円柱形）の撮像装置（例えば、レンズスタイルのカメラ）とする例を示す。すなわち、撮像装置１００の形状を、一般の撮像装置（例えば、一体型カメラ）のレンズ部分のみを取り出したような形状とする例を示す。なお、撮像装置１００は、ズームレバーやシャッターボタン等の操作部材を備えるが、図１等では、これらの図示を省略する。また、撮像装置１００は、例えば、デジタルスチルカメラやデジタルビデオカメラ（例えば、カメラ一体型レコーダ）により実現される。
【００２５】
撮像装置１００は、鏡筒１６０と、取付部材１７１、１７２とを備える。鏡筒１６０は、光学系、撮像系等の各部材を収容するものである。
【００２６】
取付部材１７１、１７２は、撮像装置１００を他の装置（例えば、図２に示す情報処理装置２００）に取り付ける際に用いられるアタッチメントである。例えば、他の装置の形状、サイズに応じて、取付部材１７１を矢印１７３方向に移動させ、取付部材１７２を矢印１７４方向に移動させることにより、撮像装置１００をその装置に取り付けることができる。すなわち、取付部材１７１、１７２は、撮像装置１００を他の装置に固定するためのアタッチメントである。また、撮像装置１００を他の装置に装着する場合のアタッチメント面を装着面１７５（図１のａに示すレンズ側の面の反対側の面）として示す。なお、撮像装置１００を他の装置に取り付ける場合の例を図２に示す。
【００２７】
このように、撮像装置１００は、例えば、通常の撮像動作を行うことが可能であるとともに、他の装置（例えば、スマートフォン）に装着して使用することができる。また、他の装置に装着して使用する場合には、他の装置を用いた遠隔操作により撮像装置１００を操作することができる。
【００２８】
［撮像装置の取付例］
図２は、本技術の第１の実施の形態における撮像装置１００を情報処理装置２００に取り付けた場合の外観構成を示す図である。
【００２９】
図２のａおよびｂには、情報処理装置２００の一面（撮像部２９２が備えられている面）に撮像装置１００を取り付けた場合の例を示す。図２のａには、情報処理装置２００に撮像装置１００を取り付けた場合の正面図を示す。また、図２のｂには、情報処理装置２００に撮像装置１００を取り付けた場合の斜視図を示す。
【００３０】
情報処理装置２００は、操作部材２２１乃至２２３と、入出力部２４０と、音声出力部２８０と、発光部２９１と、撮像部２９２とを備える。なお、情報処理装置２００は、例えば、スマートフォン、タブレット端末等の情報処理装置により実現される。
【００３１】
操作部材２２１乃至２２３は、各種の操作入力を行う際に用いられる操作部材である。
【００３２】
入出力部２４０は、各種画像を表示するとともに、入出力部２４０の表示面に近接または接触する物体の検出状態に基づいてユーザからの操作入力を受け付けるものである。
【００３３】
音声出力部２８０は、各種の音声情報を出力するものである。
【００３４】
発光部２９１は、被写体に対して光を発光させる発光装置である。発光部２９１は、例えば、夜間や室内等のように十分な明るさが期待できない環境において情報処理装置２００を用いて撮像動作を行う際に用いられる。
【００３５】
撮像部２９２は、被写体を撮像して画像（画像データ）を生成するものである。
【００３６】
図２に示すように、撮像装置１００の取付部材１７１、１７２により情報処理装置２００の本体を挟むことにより、撮像装置１００を情報処理装置２００に固定することができる。なお、情報処理装置２００における他の部分（図２に示す部分以外の部分）に撮像装置１００を取り付けるようにしてもよい。
【００３７】
［撮像装置および情報処理装置の機能構成例］
図３は、本技術の第１の実施の形態における撮像装置１００および情報処理装置２００の機能構成例を示すブロック図である。なお、撮像装置１００および情報処理装置２００により構成される撮像システムは、特許請求の範囲に記載の撮像システムの一例である。
【００３８】
撮像装置１００は、撮像部１１０と、画像処理部１２０と、記憶部１３０と、制御部１４０と、無線通信部１５０とを備える。
【００３９】
撮像部１１０は、制御部１４０の制御に基づいて、被写体を撮像して画像（画像データ）を生成するものであり、生成された画像を画像処理部１２０に出力する。撮像部１１０は、例えば、光学系（複数のレンズ）、撮像素子により構成される。また、撮像部１１０は、制御部１４０の制御に基づいて、各部（例えば、ズームレンズ、フォーカスレンズ、絞り）が制御される。なお、本技術の実施の形態では、「画像」と記載した場合には、画像そのものと、その画像を表示するための画像データとの両方の意味を含むものとする。
【００４０】
画像処理部１２０は、制御部１４０の制御に基づいて、撮像部１１０から出力された画像について所定の画像処理（例えば、デモザイク処理）を施すものであり、その画像処理が施された画像を記憶部１３０に記憶させる。なお、画像処理部１２０により画像処理が施された画像については、無線通信を利用して情報処理装置２００に送信して記憶部２７０に記憶させるようにしてもよい。
【００４１】
記憶部１３０は、画像処理部１２０により画像処理が施された画像をコンテンツ（例えば、静止画ファイル、動画ファイル）として記憶する記録媒体である。なお、記憶部１３０は、撮像装置１００に内蔵するようにしてもよく、撮像装置１００から着脱可能とするようにしてもよい。
【００４２】
制御部１４０は、制御プログラムに基づいて撮像装置１００における各部を制御するものである。例えば、制御部１４０は、撮像装置１００に備えられているズームレバーやシャッターボタン等の操作部材（図示せず）により受け付けられた操作入力に基づいて各部を制御する。また、制御部１４０は、無線通信部１５０を介して受信される情報処理装置２００からの制御情報に基づいて各部を制御する。すなわち、情報処理装置２００を用いて撮像装置１００を遠隔操作することができる。
【００４３】
無線通信部１５０は、制御部１４０の制御に基づいて、無線通信を利用して、他の情報処理装置（例えば、情報処理装置２００）との間で各情報（例えば、制御データ、画像データ）の送受信を行うものである。
【００４４】
ここで、無線通信として、例えば、ＮＦＣ（Near Field Communication）、無線ＬＡＮ（Local Area Network）を用いることができる。この無線ＬＡＮとして、例えば、Ｗｉ−Ｆｉ（Wireless Fidelity）を用いることができる。また、無線通信として、例えば、Ｂｌｕｅｔｏｏｔｈ（登録商標）、赤外線、携帯電波等の無線通信を用いることができる。
【００４５】
また、複数の無線通信方式を用いることができる。例えば、無線通信の開始時には、ＮＦＣにより電源のオンとＷｉ−Ｆｉに関するデータ（例えば、ＳＳＩＤ（Service Set Identifier））のやりとりのみを行う。そして、これ以降のデータのやりとりについては、Ｗｉ−Ｆｉにより行うことができる。
【００４６】
また、例えば、撮像装置１００の情報処理装置２００への装着を検出する際には、ＮＦＣによるデータのやりとりを用いることができる。また、撮像装置１００および情報処理装置２００間の画像データや制御データのやりとりについては、Ｗｉ−Ｆｉを利用して行うことができる。
【００４７】
情報処理装置２００は、姿勢検出部２１０と、操作受付部２２０と、無線通信部２３０と、入出力部２４０と、制御部２５０と、画像処理部２６０と、記憶部２７０と、音声出力部２８０とを備える。
【００４８】
姿勢検出部２１０は、情報処理装置２００の加速度、動き、傾き等を検出することにより情報処理装置２００の姿勢の変化を検出するものであり、検出された姿勢の変化に関する姿勢情報を制御部２５０に出力する。なお、姿勢検出部２１０として、例えば、ジャイロセンサ、加速度センサ等の各種センサを用いることができる。
【００４９】
操作受付部２２０は、ユーザにより行われた操作を受け付ける操作受付部であり、受け付けられた操作内容に応じた制御情報（操作情報）を制御部２５０に出力する。なお、操作受付部２２０は、例えば、図２、図３に示す操作部材２２１乃至２２３に対応する。
【００５０】
無線通信部２３０は、制御部２５０の制御に基づいて、無線通信を利用して他の情報処理装置（例えば、撮像装置１００）との間で各情報（例えば、制御データ、画像データ）の送受信を行うものである。無線通信として、例えば、上述した無線ＬＡＮ（例えば、Ｗｉ−Ｆｉ）、ＮＦＣ、Ｂｌｕｅｔｏｏｔｈ、赤外線、携帯電波等を用いることができる。また、複数の無線通信方式を用いるようにしてもよい。
【００５１】
入出力部２４０は、入力部２４１および表示部２４２が一体として構成されているものである。また、入出力部２４０は、制御部２５０の制御に基づいて各種画像を表示部２４２に表示するとともに、表示部２４２の表示面に近接または接触する物体の検出状態に基づいてユーザからの操作入力を入力部２４１により受け付ける。また、入力部２４１は、受け付けられた操作入力に応じた制御情報を制御部２５０に出力する。
【００５２】
例えば、入力部２４１として、導電性を有する物体（例えば、人物の指）の接触または近接を、静電容量の変化に基づいて検出する静電式（静電容量方式）のタッチパネルを用いることができる。また、例えば、表示部２４２として、ＬＣＤ（Liquid Crystal Display）、有機ＥＬ（Electro Luminescence）パネル等の表示パネルを用いることができる。そして、入出力部２４０は、例えば、表示パネルの表示面上に、透明なタッチパネルを重ね合わせることにより構成される。
【００５３】
例えば、ユーザは表示部２４２に表示されている操作対象物等の接触操作（または、近接操作）を行うことにより情報処理装置２００や撮像装置１００の操作が可能となる。ここで、操作対象物は、例えば、図８のｂに示す操作対象物３０１乃至３０６のように、入出力部２４０に表示されるものであり、操作入力を行うための操作ボタン（ＧＵＩ（Graphical User Interface）ボタン）等である。
【００５４】
制御部２５０は、制御プログラムに基づいて情報処理装置２００における各部を制御するものである。例えば、制御部２５０は、姿勢検出部２１０からの姿勢情報に基づいて、情報処理装置２００の姿勢を判断し、この判断結果に基づいて、入出力部２４０に表示させる表示画面の表示態様を切り替える。例えば、制御部２５０は、姿勢検出部２１０からの姿勢情報に基づいて、情報処理装置２００の姿勢の上下方向を判断し、この判断結果に基づいて、入出力部２４０に表示させる表示画面の上下方向を切り替える。
【００５５】
また、例えば、制御部２５０は、無線通信部２３０を介して情報処理装置２００および撮像装置１００が接続されている場合には、撮像装置１００を操作するための表示画面を入出力部２４０に表示させる。この場合に、制御部２５０は、撮像装置１００との相対的な位置関係に基づいて、撮像装置１００を操作するための表示画面の表示態様を切り替える制御を行う。例えば、制御部２５０は、情報処理装置２００および撮像装置１００間の距離に基づいて表示画面の表示態様を切り替える制御を行う。この場合に、例えば、制御部２５０は、撮像装置１００を操作するための操作対象物（例えば、図８に示す操作対象物３０１乃至３０６）を含む表示画面を表示させ、相対的な位置関係に基づいて操作対象物の表示態様を変更する制御を行う。
【００５６】
また、例えば、制御部２５０は、撮像装置１００が情報処理装置２００に装着されているか否かに基づいて表示画面の表示態様を切り替える制御を行う。この場合に、制御部２５０は、撮像装置１００が入出力部２４０の表示面に装着されているか否かに基づいて表示画面の表示態様を切り替える制御を行うようにしてもよい。また、制御部２５０は、撮像装置１００が入出力部２４０の表示面に装着されている場合には、入出力部２４０の表示面における撮像装置１００の位置に基づいて表示画面の表示態様を切り替える制御を行うようにしてもよい。
【００５７】
このように、情報処理装置２００において、無線通信を利用して接続される撮像装置１００および情報処理装置２００の相対的な位置関係に基づいて表示画面が切り替えられる。また、撮像装置１００の制御部１４０は、表示画面が表示される情報処理装置２００において行われるその表示画面を用いた操作入力に基づいて撮像動作に関する制御を行う。
【００５８】
画像処理部２６０は、制御部２５０の制御に基づいて、撮像装置１００により生成された画像や撮像部２９２（図２のｂに示す）により生成された画像について所定の画像処理を施すものであり、その画像処理が施された画像を表示部２４２に表示させる。また、画像処理部２６０は、制御部２５０の制御に基づいて、それらの画像を記憶部２７０に記憶させる。また、画像処理部２６０は、制御部２５０の制御に基づいて、撮像装置１００を用いた撮像動作が行われている場合に用いられる表示画面を表示部２４２に表示させる。
【００５９】
記憶部２７０は、制御部２５０の制御に基づいて、各情報を記憶する記録媒体である。例えば、記憶部２７０には、撮像装置１００により生成された画像や撮像部２９２（図２のｂに示す）により生成された画像がコンテンツ（例えば、静止画ファイル、動画ファイル）として記憶される。なお、記憶部２７０は、情報処理装置２００に内蔵するようにしてもよく、情報処理装置２００から着脱可能とするようにしてもよい。
【００６０】
音声出力部２８０は、制御部２５０の制御に基づいて、音声情報を出力するものである。音声出力部２８０は、例えば、スピーカにより実現することができる。
【００６１】
［撮像装置および情報処理装置の使用例］
図４は、本技術の第１の実施の形態における撮像装置１００および情報処理装置２００の使用例を示す図である。
【００６２】
図４のａには、情報処理装置２００に撮像装置１００を装着して使用する場合の一例を示す。例えば、図２のａおよびｂに示すように、情報処理装置２００の一面（入出力部２４０が設けられている面の反対側の面）に撮像装置１００を装着することができる。この場合には、ユーザ４００は、撮像装置１００が装着されている情報処理装置２００を用いて、一般の撮像装置（例えば、一体型カメラ）を使用した撮影と略同様に撮影を行うことができる。
【００６３】
図４のｂには、情報処理装置２００に撮像装置１００を装着せずに使用する場合の一例を示す。例えば、図４のｂに示すように、情報処理装置２００から離れている場所に撮像装置１００を設置することができる。この場合でも、ユーザ４００は、情報処理装置２００を用いて撮像装置１００を遠隔操作することができるため、撮像装置１００および情報処理装置２００を用いた撮影を行うことができる。
【００６４】
ここで、情報処理装置２００に撮像装置１００を装着した場合と、これ以外の場合とでは、情報処理装置２００の使用態様（例えば、持ち方）が異なることが想定される。そこで、本技術の第１の実施の形態では、撮像装置１００の情報処理装置２００への装着の有無に基づいて表示画面の表示態様を切り替える例を示す。また、表示画面の表示態様を適切に切り替えるため、撮像装置１００の情報処理装置２００への装着を適切に検出することが重要である。そこで、本技術の実施の形態では、近距離無線通信（例えば、ＮＦＣ）を利用して撮像装置１００の情報処理装置２００への装着を適切に検出する例を示す。
【００６５】
［撮像装置の装着検出例］
本技術の実施の形態では、近距離無線通信を用いて撮像装置１００の情報処理装置２００への装着を検出する例を示す。ここでは、近距離無線通信として、ＮＦＣ（Near Field Communication）を用いる例を示す。
【００６６】
例えば、ＮＦＣでは、装置間で定期的な通信が行われる。例えば、情報処理装置２００から定期的にＰｏｌｌｉｎｇ  Ｃｏｍｍａｎｄが発行される。このＰｏｌｌｉｎｇ  Ｃｏｍｍａｎｄは、ＮＦＣ規格で定められているＮＦＣ  Ｔａｇの判別用コマンドである（例えば、NFC Forum Type3 Tag Operation Specification NFC Forum-TS-Type-3-Tag_1.1参照。）。
【００６７】
例えば、定期的に発行されるＰｏｌｌｉｎｇ  Ｃｏｍｍａｎｄに対する応答（Ｐｏｌｌｉｎｇ  Ｒｅｓｐｏｎｃｅ）がある場合には、情報処理装置２００は、近接する装置が存在すると判断することができる。ここで、ＮＦＣを利用したデータ通信が可能となる距離は、１乃至１０ｃｍ程度である。そこで、Ｐｏｌｌｉｎｇ  Ｒｅｓｐｏｎｃｅがある場合には、情報処理装置２００の制御部２５０は、撮像装置１００が情報処理装置２００に装着されたと判断することができる。
【００６８】
また、Ｐｏｌｌｉｎｇ  Ｃｏｍｍａｎｄに対する応答（Ｐｏｌｌｉｎｇ  Ｒｅｓｐｏｎｃｅ）がない場合には、情報処理装置２００は、近接する装置が存在しないと判断することができる。この場合には、情報処理装置２００の制御部２５０は、撮像装置１００が情報処理装置２００に装着されていないと判断することができる。
【００６９】
ここで、ＮＦＣは、広く普及している。また、ＮＦＣは、スマートフォン等の情報処理装置に搭載されていることが多い。このため、ＮＦＣを搭載している情報処理装置の場合には、ＮＦＣを用いた装着の検出を行うことにより、その検出を行うためのハードウエアを新たに設ける必要がない。これにより、情報処理装置の製造コストを低減させることができる。
【００７０】
ここで、例えば、撮像装置が情報処理装置に装着されずに、撮像装置および情報処理装置が近接しているような場合も想定される。このような場合に、ＮＦＣ以外の近距離無線通信を利用して装着検出をすると、撮像装置が装着されていると誤検出されてしまうおそれがある。そこで、本技術の実施の形態では、近距離無線通信としてＮＦＣを利用する。これにより、撮像装置の装着検出の精度を高めることができる。
【００７１】
［通信例］
図５は、本技術の第１の実施の形態における撮像装置１００および情報処理装置２００間における通信処理例を示すシーケンスチャートである。
【００７２】
図５では、情報処理装置２００が、ＮＦＣリーダ／ライタとして機能し、撮像装置１００が、ＮＦＣタグ（ＮＦＣ  Ｔａｇ）として機能する場合の例を示す。また、情報処理装置２００においては、Ｐｏｌｌｉｎｇ  Ｃｏｍｍａｎｄ発行のＯＮ／ＯＦＦの切替操作（ユーザによる手動操作）に応じて、Ｐｏｌｌｉｎｇ  Ｃｏｍｍａｎｄの発行が行われるものとする。また、撮像装置１００においては、情報処理装置２００からのＰｏｌｌｉｎｇ  Ｃｏｍｍａｎｄを受信した際にＯＮとされ、Ｐｏｌｌｉｎｇ  Ｃｏｍｍａｎｄに対する応答（Ｐｏｌｌｉｎｇ  Ｒｅｓｐｏｎｃｅ）を行うものとする。
【００７３】
また、図５では、定期的に発行されるＰｏｌｌｉｎｇ  Ｃｏｍｍａｎｄに対する応答（Ｐｏｌｌｉｎｇ  Ｒｅｓｐｏｎｃｅ）があった場合に、撮像装置１００が情報処理装置２００に装着されていると判断する例を示す。
【００７４】
図５において、点線の矩形５００、５２０は、情報処理装置２００への撮像装置１００の装着が検出されない場合の通信例を示す。また、点線の矩形５１０は、情報処理装置２００への撮像装置１００の装着が検出される場合の通信例を示す。
【００７５】
情報処理装置２００の制御部２５０は、Ｐｏｌｌｉｎｇ  Ｃｏｍｍａｎｄの発行をＯＮするための切替操作がユーザにより行われた場合には、定期的にＰｏｌｌｉｎｇ  Ｃｏｍｍａｎｄを発行する（５０１、５０２、５１１、５１３、５２１、５２２）。
【００７６】
ここで、撮像装置１００および情報処理装置２００間の距離が閾値以上離れているような場合には、撮像装置１００は、Ｐｏｌｌｉｎｇ  Ｃｏｍｍａｎｄを受信することができない。このため、点線の矩形５００、５２０に示すように、撮像装置１００は、Ｐｏｌｌｉｎｇ  Ｃｏｍｍａｎｄに対する応答（Ｐｏｌｌｉｎｇ  Ｒｅｓｐｏｎｃｅ）を送信しない。この場合には、情報処理装置２００の制御部２５０は、Ｐｏｌｌｉｎｇ  Ｃｏｍｍａｎｄに対する応答（Ｐｏｌｌｉｎｇ  Ｒｅｓｐｏｎｃｅ）を受信することができない。このため、情報処理装置２００の制御部２５０は、撮像装置１００が装着されていないと判断する。
【００７７】
また、撮像装置１００および情報処理装置２００間の距離が閾値未満である場合には、撮像装置１００は、Ｐｏｌｌｉｎｇ  Ｃｏｍｍａｎｄを受信することができる。このように、Ｐｏｌｌｉｎｇ  Ｃｏｍｍａｎｄを受信した撮像装置１００の制御部１４０は、矩形の点線５１０に示すように、Ｐｏｌｌｉｎｇ  Ｃｏｍｍａｎｄに対する応答（Ｐｏｌｌｉｎｇ  Ｒｅｓｐｏｎｃｅ）を送信する（５１２、５１４）。この場合には、情報処理装置２００の制御部２５０は、Ｐｏｌｌｉｎｇ  Ｃｏｍｍａｎｄに対する応答（Ｐｏｌｌｉｎｇ  Ｒｅｓｐｏｎｃｅ）を受信することができる。このため、情報処理装置２００の制御部２５０は、撮像装置１００が装着されていると判断する。
【００７８】
ここで、ＮＦＣのアンテナとして、一辺を所定の長さ（例えば、７ｍｍ程度）とする矩形状のものが用いられることが多い。また、上述したように、ＮＦＣを利用したデータ通信が可能となる距離は、１乃至１０ｃｍ程度である。このため、ＮＦＣを利用して撮像装置１００の装着を検出するためには、情報処理装置２００のアンテナの配置部分（または、アンテナの配置部分の近く）に撮像装置１００を装着する必要がある。そこで、撮像装置１００を装着することが好ましい部分に、情報処理装置２００のアンテナ（ＮＦＣのアンテナ）を配置することが好ましい。
【００７９】
［情報処理装置の動作例］
図６は、本技術の第１の実施の形態における情報処理装置２００による装着検出処理の処理手順の一例を示すフローチャートである。図６では、定期的に発行されるＰｏｌｌｉｎｇ  Ｃｏｍｍａｎｄに対する応答（Ｐｏｌｌｉｎｇ  Ｒｅｓｐｏｎｃｅ）があった場合に、撮像装置が装着されていると判断する例を示す。
【００８０】
最初に、制御部２５０は、Ｐｏｌｌｉｎｇ  Ｃｏｍｍａｎｄを発行する（ステップＳ９０１）。続いて、制御部２５０は、Ｐｏｌｌｉｎｇ  Ｃｏｍｍａｎｄに対する応答（Ｐｏｌｌｉｎｇ  Ｒｅｓｐｏｎｃｅ）を受信したか否かを判断する（ステップＳ９０２）。
【００８１】
Ｐｏｌｌｉｎｇ  Ｒｅｓｐｏｎｃｅを受信した場合には（ステップＳ９０２）、制御部２５０は、情報処理装置２００に他の装置（例えば、撮像装置１００）が装着されていると判断する（ステップＳ９０３）。一方、Ｐｏｌｌｉｎｇ  Ｒｅｓｐｏｎｃｅを受信していない場合には（ステップＳ９０２）、制御部２５０は、情報処理装置２００には他の装置が装着されていないと判断する（ステップＳ９０４）。なお、ステップＳ９０１、Ｓ９０２は、特許請求の範囲に記載の無線通信手順の一例である。また、ステップＳ９０２乃至Ｓ９０４は、特許請求の範囲に記載の判定手順の一例である。
【００８２】
このように、制御部２５０は、近距離無線通信（ＮＦＣ）を利用した撮像装置１００との通信結果に基づいて撮像装置１００の装着の有無を判定する。例えば、無線通信部２３０は、制御部２５０の制御に基づいて、ポーリングのためのコマンド（Ｐｏｌｌｉｎｇ  Ｃｏｍｍａｎｄ）を送信する。また、撮像装置１００の制御部１４０は、ポーリングのためのコマンド（Ｐｏｌｌｉｎｇ  Ｃｏｍｍａｎｄ）を情報処理装置２００から受信した場合には、そのコマンドに対する応答（Ｐｏｌｌｉｎｇ  Ｒｅｓｐｏｎｃｅ）を送信させる。そして、制御部２５０は、そのコマンドに対する応答（Ｐｏｌｌｉｎｇ  Ｒｅｓｐｏｎｃｅ）を受信した場合には、撮像装置１００が装着されていると判定し、そのコマンドに対する応答を受信しない場合には、撮像装置１００が装着されていないと判定する。
【００８３】
このように、情報処理装置２００は、近距離無線通信（ＮＦＣ）を利用した撮像装置１００および情報処理装置２００間の通信結果に基づいて、撮像装置１００の情報処理装置２００への装着の有無を判定する。また、撮像装置１００の制御部１４０は、情報処理装置２００において行われる操作入力に基づいて撮像動作に関する制御を行う。すなわち、本技術の第１の実施の形態は、情報処理装置２００との間で通信を行う無線通信手順と、情報処理装置２００において行われる操作入力に基づいて撮像動作に関する制御を行う制御手順とを具備する撮像装置１００の制御方法の一例である。
【００８４】
なお、図６に示す例では、Ｐｏｌｌｉｎｇ  Ｒｅｓｐｏｎｃｅを受信したことを条件に他の装置の装着を検出する例を示したが、他の条件を用いて他の装置の装着を検出するようにしてもよい。例えば、Ｐｏｌｌｉｎｇ  Ｒｅｓｐｏｎｃｅを所定時間だけ受信したことを条件とするようにしてもよく、Ｐｏｌｌｉｎｇ  Ｒｅｓｐｏｎｃｅを所定回数だけ受信したことを条件とするようにしてもよい。
【００８５】
［表示画面の切替例］
図７は、本技術の第１の実施の形態における入出力部２４０に表示される表示画面の切替例を示す図である。図７では、撮像装置１００が情報処理装置２００に装着されていない場合と、撮像装置１００が情報処理装置２００に装着されている場合との例を示す。
【００８６】
例えば、撮像装置１００が情報処理装置２００に装着されていない場合（未装着の場合）には、撮影しながらの頻繁な設定変更は比較的少ないと想定される。このため、入出力部２４０に表示される操作対象物（例えば、操作キー）は最小限に限定してシンプルにすることが好ましい。例えば、図７に示すように、入出力部２４０におけるユーザが操作し易い部分には、シャッターキー、動画撮影キー、ズームキー、メニューキー等を表示することができる。また、それ以外の部分には、各種アイコン等を表示することができる。
【００８７】
ここで、ユーザが操作し易い部分は、例えば、右利きのユーザの場合には、入出力部２４０における右側の領域を意味し、左利きのユーザの場合には、入出力部２４０における左側の領域を意味する。
【００８８】
また、例えば、撮像装置１００が情報処理装置２００に装着されている場合には、撮影しながらの設定変更が比較的多いと想定される。例えば、ユーザは、左手で、撮像装置１００の鏡筒１６０を支えるか、リング操作やズーム操作を行い、右手で、ボディ操作を行うことが想定される。このため、入出力部２４０には、各種の設定ボタン等の操作対象物を配置することが好ましい。例えば、図７に示すように、入出力部２４０におけるユーザが操作し易い部分には、シャッターキー、各種操作キー等を表示することができる。また、それ以外の部分には、ズームレバー、各種アイコン等を表示することができる。
【００８９】
なお、これらの表示切替例は、一例であり、これら以外の表示切替とするようにしてもよい。以下では、これらの表示切替例を示す。
【００９０】
［表示画面の表示例］
図８乃至図１０は、本技術の第１の実施の形態における入出力部２４０に表示される表示画面の表示例を示す図である。
【００９１】
図８乃至図１０のａには、撮像装置１００が情報処理装置２００に装着されていない場合の表示例を示し、図８乃至図１０のｂには、撮像装置１００が情報処理装置２００に装着されている場合の表示例を示す。
【００９２】
また、図８乃至図１０では、撮像装置１００および情報処理装置２００を用いた撮像動作が行われている場合に、撮像装置１００の撮像部１１０により生成された画像がライブビュー画像として入出力部２４０に表示される例を示す。すなわち、撮像装置１００の撮像部１１０により生成された画像が、無線通信部１５０、２３０を介して、情報処理装置２００に順次送信され、その画像がライブビュー画像として入出力部２４０に表示される。なお、撮像装置１００および情報処理装置２００間の画像データや制御データのやりとりについては、Ｗｉ−Ｆｉを利用して行うことができる。また、図８乃至図１０では、山とその前を歩いている犬とを被写体とする画像をライブビュー画像３００、３１０として表示する例を示す。
【００９３】
また、図８乃至図１０では、撮像装置１００および情報処理装置２００を用いた撮像動作が行われている場合に、撮像装置１００を操作するための操作対象物を入出力部２４０に表示する例を示す。この操作対象物は、例えば、ライブビュー画像の周り、または、ライブビュー画像に重ねて入出力部２４０に表示される。
【００９４】
［情報処理装置の発光部をオンオフするための操作対象物の表示切替例］
図８には、撮像装置１００の情報処理装置２００への装着の有無に基づいて、情報処理装置２００の発光部２９１をオンオフするための操作対象物３０１の表示態様を切り替える例を示す。
【００９５】
図８では、ライブビュー画像３００が表示され、ライブビュー画像３００の両側に複数の操作対象物３０１乃至３０６が表示される例を示す。
【００９６】
なお、操作対象物３０１は、情報処理装置２００の発光部２９１のオンオフ操作を行う際に押下される操作対象物である。また、操作対象物３０２は、撮像装置１００の撮影モードを切り替える際に押下される操作対象物である。また、操作対象物３０３は、撮像装置１００のシャッター操作を行う際に押下される操作対象物である。また、操作対象物３０４は、撮像装置１００の各種の設定操作を行う際に押下される操作対象物である。また、操作対象物３０５は、撮像装置１００の露出モードを切り替える際に押下される操作対象物である。また、操作対象物３０６は、撮像装置１００において設定されているシーン情報を表示するための操作対象物である。
【００９７】
例えば、撮像装置１００が情報処理装置２００に装着されていない場合には、撮像装置１００の撮像対象となっている被写体に、情報処理装置２００の発光部２９１からの光が届かないことが想定される。このため、情報処理装置２００の発光部２９１から出力される光を撮影補助光として使用することは少ないと想定される。そこで、図８のａに示すように、撮像装置１００が情報処理装置２００に装着されていない場合には、操作対象物３０１を表示させないようにする。
【００９８】
また、例えば、撮像装置１００が情報処理装置２００に装着されている場合には、撮像装置１００の撮像対象となっている被写体に、情報処理装置２００の発光部２９１からの光が届くことが想定される。このため、情報処理装置２００の発光部２９１から出力される光を撮影補助光として使用することができるため、情報処理装置２００の発光部２９１を使用することも想定される。そこで、図８のｂに示すように、撮像装置１００が情報処理装置２００に装着されている場合には、操作対象物３０１を表示させるようにする。
【００９９】
［ズーム操作を行うための操作対象物の表示切替例］
図９には、撮像装置１００の情報処理装置２００への装着の有無に基づいて、撮像装置１００のズーム操作を行うための操作対象物３１７の表示態様を切り替える例を示す。
【０１００】
図９では、ライブビュー画像３１０が表示され、ライブビュー画像３１０の両側に複数の操作対象物３１１乃至３１４が表示され、ライブビュー画像３１０に重ねて複数の操作対象物３１５乃至３１７が表示される例を示す。なお、図９では、ユーザが右利きであることを想定して説明する。
【０１０１】
なお、操作対象物３１１乃至３１３は、図８に示す操作対象物３０１乃至３０３に対応する。また、操作対象物３１４は、画像の再生を行う際に押下される操作対象物である。また、操作対象物３１５、３１６は、撮像装置１００の各種の設定情報を表示して各設定を変更するための操作対象物である。また、操作対象物３１７は、撮像装置１００のズーム操作を行うための操作対象物である。例えば、操作対象物３１７として、Ｗ（ワイド）ボタン（ワイド側ボタン）およびＴ（テレ）ボタン（テレ側ボタン）が表示される。例えば、ＷボタンまたはＴボタンについてユーザ操作が行われた場合には、制御部２５０は、そのユーザ操作に応じた制御情報を取得し、この制御情報を無線通信部２３０、１５０を介して撮像装置１００の制御部１４０に送信する。この制御情報を受信した場合には、撮像装置１００の制御部１４０は、その受信した制御情報に基づいて撮像部１１０のズームレンズの駆動を制御する。
【０１０２】
上述したように、撮像装置１００の本体には、ズーム操作を行うための操作部材（ズームレバー）が備えられている。しかしながら、例えば、撮像装置１００が情報処理装置２００に装着されていない場合には、撮像装置１００の本体に備えられている操作部材（ズームレバー）にユーザが届かないことも想定される。この場合には、ユーザは、撮像装置１００の本体に備えられている操作部材（ズームレバー）を操作することができない。そこで、図９のａに示すように、撮像装置１００が情報処理装置２００に装着されていない場合には、ユーザが操作し易い部分（右利きのユーザが操作し易い右側部分）に操作対象物３１７を表示させるようにする。このように、操作対象物３１７を配置することにより、ユーザは右手の親指でズーム操作を容易に行うことができる。
【０１０３】
また、例えば、撮像装置１００が情報処理装置２００に装着されている場合には、撮像装置１００の本体に備えられている操作部材（ズームレバー）にユーザが届くことが想定される。この場合には、ユーザは、撮像装置１００の本体に備えられている操作部材（ズームレバー）を操作することができる。そこで、図９のｂに示すように、撮像装置１００が情報処理装置２００に装着されている場合には、ユーザが操作し易い部分とは異なる部分に操作対象物３１７を表示させるようにする。例えば、操作対象物３１６、３１７の表示位置を入れ替えるようにすることができる。このように、操作対象物３１６を配置することにより、ユーザは右手の親指で撮像装置１００の設定操作を容易に行うことができる。
【０１０４】
［撮像装置の各種操作を行うための操作対象物の表示切替例］
図１０には、撮像装置１００の情報処理装置２００への装着の有無に基づいて、撮像装置１００の各種操作を行うための操作対象物３２１乃至３２７の表示態様を切り替える例を示す。
【０１０５】
図１０のａは、図９のａと同様である。また、図１０のｂに示す操作対象物３２１乃至３２６は、例えば、一般の撮像装置（例えば、一体型カメラ）の背面側（レンズ側の反対側）に設けられている各操作部材に対応する操作対象物である。
【０１０６】
例えば、操作対象物３２１は、撮像装置１００のシャッター操作を行う際に押下される操作対象物である。また、操作対象物３２２は、なぞる操作を行う際に用いられる操作対象物である。操作対象物３２２は、例えば、モードダイヤルに相当するものであり、モードダイヤルのように、操作対象物３２２を左右方向に移動する操作（なぞる操作）を行うことにより、各種操作を行うことができる。
【０１０７】
また、操作対象物３２３は、撮像装置１００の動画記録を開始する操作を行う際に押下される操作対象物である。操作対象物３２３は、例えば、動画ＲＥＣボタンに対応する。また、操作対象物３２４は、撮像装置１００に関する各種設定を行うためのメニュー画面を表示する際に押下される操作対象物である。操作対象物３２４は、例えば、メニューボタンに対応する。
【０１０８】
また、操作対象物３２５は、なぞる操作、決定操作を行う際に用いられる操作対象物である。操作対象物３２５は、例えば、コントロールホイールに相当するものであり、入出力部２４０に表示されるカーソルの移動操作や各種の決定操作を行うことができる。また、操作対象物３２６は、画像の再生を行う際に押下される操作対象物である。
【０１０９】
また、矩形の点線で囲む表示領域３２７には、ライブビュー画像や各種の操作対象物（例えば、アイコン）等が表示される。なお、図１０のｂでは、各種の操作対象物（例えば、アイコン）等が表示領域３２７に表示されている例を示す。
【０１１０】
ここで、例えば、撮像装置１００が情報処理装置２００に装着されている場合には、撮像装置１００および情報処理装置２００を一般の撮像装置のように使用することが好ましい。例えば、一般の撮像装置（例えば、一体型カメラ）と比較して違和感がない程度の操作性をユーザが期待することが想定される。そこで、一般の撮像装置（例えば、一体型カメラ）と略同程度の操作部材の配置を行うことが好ましい。そこで、図１０のｂでは、一般の撮像装置と略同程度の操作部材の配置を、各操作対象物の表示により実現する例を示す。具体的には、図１０のｂに示すように、一般の撮像装置（例えば、デジタルスチルカメラ）の背面側（レンズ側の反対側）に設けられている各操作部材に対応する操作対象物３２１乃至３２６を入出力部２４０に表示させるようにする。
【０１１１】
［情報処理装置の動作例］
図１１は、本技術の第１の実施の形態における情報処理装置２００による表示制御処理の処理手順の一例を示すフローチャートである。図１１では、撮像装置１００の情報処理装置２００への装着の有無に基づいて、入出力部２４０の表示態様を切り替える例を示す。
【０１１２】
最初に、制御部２５０は、撮像装置１００の情報処理装置２００への装着の有無を検出する（ステップＳ９１１）。
【０１１３】
続いて、制御部２５０は、撮像装置１００の情報処理装置２００への装着の有無に変化が生じたか否かを判断する（ステップＳ９１２）。装着の有無に変化が生じた場合は、例えば、撮像装置１００が情報処理装置２００に装着されている状態から未装着の状態に変化した場合、または、未装着の状態から、撮像装置１００が情報処理装置２００に装着されている状態に変化した場合を意味する。そして、装着の有無に変化が生じていない場合には（ステップＳ９１２）、ステップＳ９１６に進む。
【０１１４】
また、装着の有無に変化が生じた場合には（ステップＳ９１２）、制御部２５０は、その変化後の状態が、撮像装置１００が情報処理装置２００に装着されている状態であるか否かを判断する（ステップＳ９１３）。変化後の状態が、撮像装置１００が情報処理装置２００に装着されている状態でない場合には（ステップＳ９１３）、制御部２５０は、撮像装置１００が情報処理装置２００に装着されていない場合の表示画面を入出力部２４０に表示させる（ステップＳ９１４）。例えば、図８のａ、図９のａ、図１０のａに示す表示画面が入出力部２４０に表示される。
【０１１５】
変化後の状態が、撮像装置１００が情報処理装置２００に装着されている状態である場合には（ステップＳ９１３）、制御部２５０は、撮像装置１００が情報処理装置２００に装着されている場合の表示画面を入出力部２４０に表示させる（ステップＳ９１５）。例えば、図８のｂ、図９のｂ、図１０のｂに示す表示画面が入出力部２４０に表示される。
【０１１６】
続いて、制御部２５０は、撮像動作の終了指示があったか否かを判断し（ステップＳ９１６）、撮像動作の終了指示がない場合には、ステップＳ９１１に戻り、撮像動作の終了指示があった場合には、表示制御処理の動作を終了する。
【０１１７】
＜２．第２の実施の形態＞
本技術の第１の実施の形態では、Ｐｏｌｌｉｎｇ  Ｒｅｓｐｏｎｃｅの受信の有無に応じて撮像装置の装着を判定する例を示した。ここで、情報処理装置には、撮像装置以外の他の装置が装着されること（または、近接すること）も想定される。例えば、撮像装置を含む複数の装置がＮＦＣタグとして機能する場合を想定する。この場合において、撮像装置以外の他の装置が情報処理装置に装着されたとき（または、近接したとき）には、他の装置からのＰｏｌｌｉｎｇ  Ｒｅｓｐｏｎｃｅの受信により、撮像装置が装着されたと判定されてしまうことも想定される。このような場合でも、撮像装置の装着を適切に検出することが重要である。
【０１１８】
そこで、本技術の第２の実施の形態では、Ｐｏｌｌｉｎｇ  Ｒｅｓｐｏｎｃｅを送信した撮像装置を特定するための特定情報に基づいて撮像装置の装着を判定する例を示す。なお、本技術の第２の実施の形態における撮像装置および情報処理装置の構成については、図１乃至図３に示す撮像装置１００および情報処理装置２００と同一である。このため、本技術の第２の実施の形態における各装置については、本技術の第１の実施の形態と同一の符号を付してこれらの説明の一部を省略する。
【０１１９】
［通信例］
図１２は、本技術の第２の実施の形態における撮像装置１００および情報処理装置２００間における通信処理例を示すシーケンスチャートである。なお、図１２では、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置１００が情報処理装置２００に装着されていると判断する例を示す。ここで、特定情報は、撮像装置１００を特定するための情報（識別情報）である。
【０１２０】
ここで、ｃｈｅｃｋ  ｃｏｍｍａｎｄおよびｃｈｅｃｋ  ｒｅｓｐｏｎｓｅは、ＮＦＣ  ｔａｇの内容を読み出すためのコマンドである。このコマンドは、ＮＦＣ  Ｆｏｒｕｍ  Ｔｙｐｅ３  Ｔａｇ  Ｏｐｅｒａｔｉｏｎ  Ｓｐｅｃｉｆｉｃａｔｉｏｎに定義されている。
【０１２１】
また、図１２において、点線の矩形５３０は、情報処理装置２００への撮像装置１００の装着が検出される場合の通信例を示す。なお、点線の矩形５００、５２０は、図５と同様であるため、同一の符号を付して、これらの説明を省略する。
【０１２２】
情報処理装置２００の制御部２５０は、Ｐｏｌｌｉｎｇ  Ｃｏｍｍａｎｄの発行をＯＮするための切替操作がユーザにより行われた場合には、定期的にＰｏｌｌｉｎｇ  Ｃｏｍｍａｎｄを発行する（５０１、５０２、５２１、５２２、５３１）。
【０１２３】
また、矩形の点線５３０に示すように、Ｐｏｌｌｉｎｇ  Ｃｏｍｍａｎｄを受信すると（５３１）、撮像装置１００の制御部１４０は、Ｐｏｌｌｉｎｇ  Ｃｏｍｍａｎｄに対する応答（Ｐｏｌｌｉｎｇ  Ｒｅｓｐｏｎｃｅ）を送信する（５３２）。
【０１２４】
Ｐｏｌｌｉｎｇ  Ｒｅｓｐｏｎｃｅを受信すると（５３２）、情報処理装置２００の制御部２５０は、Ｃｈｅｃｋ  Ｃｏｍｍａｎｄを送信する（５３３）。
【０１２５】
また、Ｃｈｅｃｋ  Ｃｏｍｍａｎｄを受信すると（５３３）、撮像装置１００の制御部１４０は、Ｃｈｅｃｋ  Ｃｏｍｍａｎｄに対する応答（Ｃｈｅｃｋ  Ｒｅｓｐｏｎｃｅ）を送信する（５３４）。この場合に、撮像装置１００の制御部１４０は、特定情報（撮像装置１００を特定するための情報（識別情報））をＣｈｅｃｋ  Ｒｅｓｐｏｎｃｅに含めて送信する（５３４）。
【０１２６】
例えば、「ＡＢＣ  ＤＳＣ／Ｌｅｎｓ−Ｓｔｙｌｅ  Ｃａｍｅｒａ」を表す情報を特定情報としてＣｈｅｃｋ  Ｒｅｓｐｏｎｃｅに含めて送信することができる。ここで、例えば、「ＡＢＣ」は、撮像装置１００を製造する会社名を示す情報であり、「ＤＳＣ」は、撮像装置である旨を示す情報であるものとする。また、「Ｌｅｎｓ−Ｓｔｙｌｅ  Ｃａｍｅｒａ」は、レンズスタイルのカメラである旨を示す情報であるものとする。
【０１２７】
このように、撮像装置１００の制御部１４０は、特定情報をＣｈｅｃｋ  Ｒｅｓｐｏｎｃｅに含めて送信する（５３４）。これにより、Ｃｈｅｃｋ  Ｒｅｓｐｏｎｃｅを受信した情報処理装置２００は、Ｃｈｅｃｋ  Ｒｅｓｐｏｎｃｅに含まれる特定情報に基づいて、Ｃｈｅｃｋ  Ｒｅｓｐｏｎｃｅを送信した装置が撮像装置１００であることを把握することができる。すなわち、Ｃｈｅｃｋ  Ｒｅｓｐｏｎｃｅを送信した装置が、「ＡＢＣ」会社製のレンズスタイルのカメラ（撮像装置１００）であることを把握することができる。
【０１２８】
Ｃｈｅｃｋ  Ｒｅｓｐｏｎｃｅを受信すると（５３４）、情報処理装置２００の制御部２５０は、Ｃｈｅｃｋ  Ｒｅｓｐｏｎｃｅの内容を取得する。続いて、情報処理装置２００の制御部２５０は、Ｃｈｅｃｋ  Ｒｅｓｐｏｎｃｅに特定情報が含まれているか否かを判断する。そして、情報処理装置２００の制御部２５０は、Ｃｈｅｃｋ  Ｒｅｓｐｏｎｃｅに特定情報が含まれている場合には、撮像装置１００が装着されていると判定する。一方、情報処理装置２００の制御部２５０は、Ｃｈｅｃｋ  Ｒｅｓｐｏｎｃｅに特定情報が含まれていない場合には、撮像装置１００が装着されていないと判定する。
【０１２９】
［情報処理装置の動作例］
図１３は、本技術の第２の実施の形態における情報処理装置２００による装着検出処理の処理手順の一例を示すフローチャートである。図１３では、Ｃｈｅｃｋ  ＣｏｍｍａｎｄおよびＣｈｅｃｋ  Ｒｅｓｐｏｎｃｅのやりとりを行い、Ｃｈｅｃｋ  Ｒｅｓｐｏｎｃｅに特定情報が含まれている場合に、撮像装置が装着されていると判断する例を示す。
【０１３０】
最初に、制御部２５０は、Ｐｏｌｌｉｎｇ  Ｃｏｍｍａｎｄを発行する（ステップＳ９２１）。続いて、制御部２５０は、Ｐｏｌｌｉｎｇ  Ｃｏｍｍａｎｄに対する応答（Ｐｏｌｌｉｎｇ  Ｒｅｓｐｏｎｃｅ）を受信したか否かを判断する（ステップＳ９２２）。Ｐｏｌｌｉｎｇ  Ｒｅｓｐｏｎｃｅを受信していない場合には（ステップＳ９２２）、制御部２５０は、撮像装置１００が情報処理装置２００に装着されていないと判断する（ステップＳ９２８）。
【０１３１】
Ｐｏｌｌｉｎｇ  Ｒｅｓｐｏｎｃｅを受信した場合には（ステップＳ９２２）、制御部２５０は、Ｃｈｅｃｋ  Ｃｏｍｍａｎｄを発行する（ステップＳ９２３）。続いて、制御部２５０は、Ｃｈｅｃｋ  Ｃｏｍｍａｎｄに対する応答（Ｃｈｅｃｋ  Ｒｅｓｐｏｎｃｅ）を受信したか否かを判断する（ステップＳ９２４）。Ｃｈｅｃｋ  Ｒｅｓｐｏｎｃｅを受信していない場合には（ステップＳ９２４）、制御部２５０は、撮像装置１００が情報処理装置２００に装着されていないと判定する（ステップＳ９２８）。
【０１３２】
Ｃｈｅｃｋ  Ｒｅｓｐｏｎｃｅを受信した場合には（ステップＳ９２４）、制御部２５０は、受信したＣｈｅｃｋ  Ｒｅｓｐｏｎｃｅの内容を取得する（ステップＳ９２５）。続いて、制御部２５０は、Ｃｈｅｃｋ  Ｒｅｓｐｏｎｃｅに特定情報が含まれているか否かを判断する（ステップＳ９２６）。
【０１３３】
Ｃｈｅｃｋ  Ｒｅｓｐｏｎｃｅに特定情報が含まれている場合には（ステップＳ９２６）、制御部２５０は、撮像装置１００が情報処理装置２００に装着されていると判定する（ステップＳ９２７）。一方、Ｃｈｅｃｋ  Ｒｅｓｐｏｎｃｅに特定情報が含まれていない場合には（ステップＳ９２６）、制御部２５０は、撮像装置１００が情報処理装置２００に装着されていないと判定する（ステップＳ９２８）。
【０１３４】
このように、制御部２５０は、コマンド（Ｐｏｌｌｉｎｇ  Ｃｏｍｍａｎｄ）に対する応答（Ｐｏｌｌｉｎｇ  Ｒｅｓｐｏｎｃｅ）を受信した場合には、撮像装置１００に関する情報を読み出すための確認コマンド（Ｃｈｅｃｋ  Ｃｏｍｍａｎｄ）を送信させる。また、撮像装置１００の制御部１４０は、その確認コマンド（Ｃｈｅｃｋ  Ｃｏｍｍａｎｄ）に対する応答（Ｃｈｅｃｋ  Ｒｅｓｐｏｎｃｅ）に、撮像装置１００を特定するための特定情報を含めてその応答を送信させる。そして、制御部２５０は、その確認コマンドに対する応答（Ｃｈｅｃｋ  Ｒｅｓｐｏｎｃｅ）に、その特定情報が含まれる場合にのみ、撮像装置１００が装着されていると判定する。
【０１３５】
なお、Ｃｈｅｃｋ  Ｒｅｓｐｏｎｃｅに特定情報が含まれている場合に、制御部２５０は、装着判定とともに、撮像装置１００のアプリケーションを起動させるための制御を行うようにしてもよい。このアプリケーションは、例えば、情報処理装置２００を用いて撮像装置１００の撮像動作を制御するためのアプリケーションである。
【０１３６】
また、Ｃｈｅｃｋ  Ｒｅｓｐｏｎｃｅに含める特定情報として、他の情報を含めるようにしてもよい。例えば、情報処理装置２００に装着のＯＮ／ＯＦＦを行わせるための情報を、特定情報としてＣｈｅｃｋ  Ｒｅｓｐｏｎｃｅに含めることができる。この特定情報を含むＣｈｅｃｋ  Ｒｅｓｐｏｎｃｅを受信した場合には、この受信後にＮＦＣのＰｏｌｌｉｎｇ  Ｒｅｓｐｏｎｃｅを受信する毎に、制御部２５０は、撮像装置１００が情報処理装置２００に装着されていると判定する。
【０１３７】
［データフォーマットの内容例］
以上では、「ＡＢＣ  ＤＳＣ／Ｌｅｎｓ−Ｓｔｙｌｅ  Ｃａｍｅｒａ」を特定情報としてＣｈｅｃｋ  Ｒｅｓｐｏｎｃｅに含める例を示した。ただし、ＮＦＣタグを特定するための他の情報を特定情報としてＣｈｅｃｋ  Ｒｅｓｐｏｎｃｅに含めるようにしてもよい。そこで、図１４では、ＮＦＣでデータのやりとりをする際に使用されるデータフォーマットの一例として、ＮＤＥＦ（NFC Data Exchange Format）を示す。
【０１３８】
図１４は、本技術の第２の実施の形態における撮像装置１００および情報処理装置２００間においてやりとりされるＮＤＥＦの仕様例を示す図である。
【０１３９】
図１４には、ＮＤＥＦ種別と、項目と、内容と、記載例とを関連付けて示す。
【０１４０】
図１４における上側には、アプリケーションのためのタグとの間でやりとりされるＮＤＥＦの仕様例を示す。また、図１４における下側には、Ａｎｄｒｏｉｄ（登録商標）デバイスのためのタグ（いわゆる、Ａｎｄｒｏｉｄアプリケーション  レコード（ＡＡＲ）のタグ）との間でやりとりされるＮＤＥＦの仕様例を示す。
【０１４１】
例えば、アプリケーション向けのデータについては、点線の矩形５４１で囲まれた情報により、ａｂｃ会社の撮像装置であることを判定することができる。
【０１４２】
また、例えば、アプリケーション向けのデータについては、点線の矩形５４２で囲まれた情報として、モデルの形名などの情報が格納される。この情報により、例えば、特定種類の撮像装置（例えば、レンズスタイルのカメラ）であることを判定することができる。
【０１４３】
なお、撮像装置１００および情報処理装置２００間の距離を考慮して撮像装置１００の装着を検出するようにしてもよい。
【０１４４】
例えば、受信電波強度を用いて撮像装置１００および情報処理装置２００間の距離を推定することができる。例えば、受信電波強度と距離との関係を示すテーブルを予め作成しておき、記憶部２７０に記憶しておく。そして、情報処理装置２００の制御部２５０は、無線通信部２３０により取得された受信電波強度に対応する距離をそのテーブルから取得し、この距離を撮像装置１００および情報処理装置２００間の距離として用いることができる。
【０１４５】
また、他のセンサを用いて、撮像装置１００および情報処理装置２００間の距離を検出するようにしてもよい。例えば、距離センサ（例えば、赤外線や超音波を用いて距離を検出するセンサ）を用いることができる。また、例えば、ＧＰＳ（Global Positioning System）を用いて撮像装置１００および情報処理装置２００間の距離を検出するようにしてもよい。例えば、ＧＰＳを用いて撮像装置１００および情報処理装置２００のそれぞれの位置を取得し、これらの位置に基づいて撮像装置１００および情報処理装置２００間の距離を算出することができる。なお、上述した距離の検出方法は、一例であり、これらに限定されるものではなく、他の検出方法を用いるようにしてもよい。
【０１４６】
このように算出された撮像装置１００および情報処理装置２００間の距離が、閾値（例えば、１０ｃｍ）未満であることを条件に、上述した装着判定を行うようにしてもよい。
【０１４７】
また、撮像装置１００および情報処理装置２００間の通信状態を考慮して撮像装置１００の装着を検出するようにしてもよい。例えば、撮像装置１００および情報処理装置２００間においてデータ通信（例えば、Ｗｉ−Ｆｉを利用したデータ通信）が行われていることを条件に、上述した装着判定を行うようにしてもよい。
【０１４８】
このように、本技術の実施の形態によれば、撮像装置１００および情報処理装置２００の装着（密着）の有無を、ＮＦＣを利用して正確に検出することができる。また、その検出結果に基づいて、撮像装置１００および情報処理装置２００の使用態様に応じた適切なユーザインターフェースを提供することができる。
【０１４９】
なお、本技術の実施の形態では、円筒形（円柱形）の撮像装置１００を例にして説明したが、他の装置に取り付けることが可能な他の形状の撮像装置についても、本技術の実施の形態を適用することができる。また、本技術の実施の形態では、スマートフォン、タブレット端末等の情報処理装置２００を例にして説明したが、無線通信を利用して撮像装置と接続することが可能な他の装置についても、本技術の実施の形態を適用することができる。
【０１５０】
また、本技術の実施の形態では、撮像装置が情報処理装置に装着されているか否かを検出する例について説明したが、他の装置間の装着を検出する場合についても、本技術の実施の形態を適用することができる。例えば、静止画撮影の際に使用される発光装置の撮像装置（例えば、デジタルスチルカメラ）への装着の検出に、本技術の実施の形態を適用することができる。また、動画撮影の際に使用される集音装置（例えば、マイク）の撮像装置（例えば、カメラ一体型レコーダ）への装着の検出に、本技術の実施の形態を適用することができる。また、動画再生の際に使用される音声出力装置（例えば、スピーカ）の撮像装置（例えば、カメラ一体型レコーダ）への装着の検出に、本技術の実施の形態を適用することができる。なお、これらの場合には、撮像装置の制御部が、装着判定を行うようにしてもよく、撮像装置に装着される他の装置（例えば、発光装置、集音装置、音出力装置）の制御部が、装着判定を行うようにしてもよい。すなわち、ある装置の制御部は、近距離無線通信を利用して他の装置との間で通信を行う場合に、近距離無線通信を利用した他の装置との通信結果に基づいて他の装置の装着の有無を判定することができる。
【０１５１】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１５２】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１５３】
なお、本明細書に記載された効果はあくまで例示であって、限定されるものではなく、また、他の効果があってもよい。
【０１５４】
なお、本技術は以下のような構成もとることができる。
（１）
近距離無線通信を利用して撮像装置との間で通信を行う無線通信部と、
前記近距離無線通信を利用した前記撮像装置との通信結果に基づいて前記撮像装置の装着の有無を判定する制御部と
を具備する情報処理装置。
（２）
前記制御部は、ポーリングのためのコマンドを送信させ、前記コマンドに対する応答を受信した場合には前記撮像装置が装着されていると判定し、前記コマンドに対する応答を受信しない場合には前記撮像装置が装着されていないと判定する前記（１）に記載の情報処理装置。
（３）
前記制御部は、前記コマンドに対する応答を受信した場合には、前記撮像装置に関する情報を読み出すための確認コマンドを送信させ、前記確認コマンドに対する応答に前記撮像装置を特定するための特定情報が含まれる場合にのみ前記撮像装置が装着されていると判定する前記（２）に記載の情報処理装置。
（４）
前記無線通信部は、前記近距離無線通信としてＮＦＣ（Near Field Communication）を利用して前記撮像装置との間で通信を行い、
前記制御部は、送信したＰｏｌｌｉｎｇ  Ｃｏｍｍａｎｄに対する応答としてＰｏｌｌｉｎｇ  Ｒｅｓｐｏｎｃｅを受信した場合には前記撮像装置が装着されていると判定し、前記Ｐｏｌｌｉｎｇ  Ｃｏｍｍａｎｄに対する応答を受信しない場合には前記撮像装置が装着されていないと判定する
前記（１）に記載の情報処理装置。
（５）
前記制御部は、前記Ｐｏｌｌｉｎｇ  Ｒｅｓｐｏｎｃｅを受信した場合にはＣｈｅｃｋ  Ｃｏｍｍａｎｄを送信させ、前記Ｃｈｅｃｋ  Ｃｏｍｍａｎｄに対する応答として受信するＣｈｅｃｋ  Ｒｅｓｐｏｎｃｅに前記撮像装置を特定するための特定情報が含まれる場合にのみ前記撮像装置が装着されていると判定する前記（４）に記載の情報処理装置。
（６）
近距離無線通信を利用して情報処理装置との間で通信を行う無線通信部と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御部と
を具備する撮像装置。
（７）
前記制御部は、ポーリングのためのコマンドを前記情報処理装置から受信した場合には前記コマンドに対する応答を送信させ、
前記情報処理装置は、前記コマンドに対する応答を受信した場合には前記撮像装置が装着されていると判定し、前記コマンドに対する応答がない場合には前記撮像装置が装着されていないと判定する
前記（６）に記載の撮像装置。
（８）
前記制御部は、前記撮像装置に関する情報を読み出すための確認コマンドに対する応答に前記撮像装置を特定するための特定情報を含めて当該応答を送信させ、
前記情報処理装置は、前記コマンドに対する応答を受信した場合には、前記確認コマンドを送信させ、前記確認コマンドに対する応答に前記特定情報が含まれる場合にのみ前記撮像装置が装着されていると判定する
前記（７）に記載の撮像装置。
（９）
前記制御部は、前記近距離無線通信としてＮＦＣを利用して前記情報処理装置が送信したＰｏｌｌｉｎｇ  Ｃｏｍｍａｎｄに対する応答としてＰｏｌｌｉｎｇ  Ｒｅｓｐｏｎｃｅを送信させ、
前記情報処理装置は、前記Ｐｏｌｌｉｎｇ  Ｃｏｍｍａｎｄに対する応答として前記Ｐｏｌｌｉｎｇ  Ｒｅｓｐｏｎｃｅを受信した場合には前記撮像装置が装着されていると判定し、前記Ｐｏｌｌｉｎｇ  Ｃｏｍｍａｎｄに対する応答がない場合には前記撮像装置が装着されていないと判定する
前記（６）に記載の撮像装置。
（１０）
前記制御部は、前記情報処理装置が送信したＣｈｅｃｋ  Ｃｏｍｍａｎｄに対する応答であるＣｈｅｃｋ  Ｒｅｓｐｏｎｃｅに前記撮像装置を特定するための特定情報を含めて前記Ｃｈｅｃｋ  Ｒｅｓｐｏｎｃｅを送信させ、
前記情報処理装置は、前記Ｐｏｌｌｉｎｇ  Ｒｅｓｐｏｎｃｅを受信した場合には前記Ｃｈｅｃｋ  Ｃｏｍｍａｎｄを送信させ、前記Ｃｈｅｃｋ  Ｃｏｍｍａｎｄに対する応答として受信するＣｈｅｃｋ  Ｒｅｓｐｏｎｃｅに前記特定情報が含まれる場合にのみ前記撮像装置が装着されていると判定する
前記（９）に記載の撮像装置。
（１１）
近距離無線通信を利用して他の情報処理装置との間で通信を行う無線通信部と、
前記近距離無線通信を利用した前記他の情報処理装置との通信結果に基づいて前記他の情報処理装置の装着の有無を判定する制御部と
を具備する情報処理装置。
（１２）
近距離無線通信を利用して情報処理装置との間で通信を行う撮像装置と、
前記近距離無線通信を利用した前記撮像装置との通信結果に基づいて前記撮像装置の装着の有無を判定する情報処理装置と
を具備する撮像システム。
（１３）
近距離無線通信を利用して撮像装置との間で通信を行う無線通信手順と、
前記近距離無線通信を利用した前記撮像装置との通信結果に基づいて前記撮像装置の装着の有無を判定する判定手順と
を具備する情報処理装置の制御方法。
（１４）
近距離無線通信を利用して情報処理装置との間で通信を行う無線通信手順と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御手順と
を具備する撮像装置の制御方法。
（１５）
近距離無線通信を利用して撮像装置との間で通信を行う無線通信手順と、
前記近距離無線通信を利用した前記撮像装置との通信結果に基づいて前記撮像装置の装着の有無を判定する判定手順と
をコンピュータに実行させるプログラム。
（１６）
近距離無線通信を利用して情報処理装置との間で通信を行う無線通信手順と、
前記近距離無線通信を利用した撮像装置および前記情報処理装置間の通信結果に基づいて前記撮像装置の前記情報処理装置への装着の有無を判定する前記情報処理装置において行われる操作入力に基づいて撮像動作に関する制御を行う制御手順と
をコンピュータに実行させるプログラム。
【符号の説明】
【０１５５】
１００  撮像装置
１１０  撮像部
１２０  画像処理部
１３０  記憶部
１４０  制御部
１５０  無線通信部
１６０  鏡筒
１７１  取付部材
１７２  取付部材
１７５  装着面
２００  情報処理装置
２１０  姿勢検出部
２２０  操作受付部
２３０  無線通信部
２４０  入出力部
２４１  入力部
２４２  表示部
２５０  制御部
２６０  画像処理部
２７０  記憶部
２８０  音声出力部
２９１  発光部
２９２  撮像部
【図１】
2015088824.tif 000003
【図２】
2015088824.tif 000004
【図３】
2015088824.tif 000005
【図４】
2015088824.tif 000006
【図５】
2015088824.tif 000007
【図６】
2015088824.tif 000008
【図７】
2015088824.tif 000009
【図８】
2015088824.tif 000010
【図９】
2015088824.tif 000011
【図１０】
2015088824.tif 000012
【図１１】
2015088824.tif 000013
【図１２】
2015088824.tif 000014
【図１３】
2015088824.tif 000015
【図１４】
2015088824.tif 000016